(57)【特許請求の範囲】
【請求項１】
乳幼児の頭部に対応するマット面上部位置の外周縁部に、マット面より上方へ立ち上がるヘッドレストを形成した乳幼児用マットであって、
前記ヘッドレストを、折り返した外周部位を立てることができるような断面逆Ｕ字状、且つ平面視逆Ｕ字状に形成し、
上記外周部位を、上方へ張り出し可能なサンバイザ部に設定した
乳幼児用マット。
【請求項２】
前記ヘッドレストを、
弾力性を有するマット状体で構成した
請求項１に記載の乳幼児用マット。
【発明の詳細な説明】
【０００１】
【発明の属する技術分野】
この発明は、例えばベビーカーやキャリー、いす、車載用のチャイルドシート、ブランコ等に敷設して使用するような乳幼児用マットに関する。
【０００２】
【従来の技術】
乳幼児用マットは、乳幼児に快適さを与えるとともに乳幼児を保護するためのもので、様々に工夫されている。特に、登録実用新案第３０１３７１９号のように乳幼児の頭部と頸部をサポートして安定させるものは、乳幼児の大切な部位を保護する効果の大きさから需要が高い。
【０００３】
【解決すべき課題及びそのための手段】
そこでこの考案は、上述のようなヘッドサポート機能を有する優良な乳幼児用マットの構造を生かし、乳幼児にとっての快適さの向上という付加価値をつけることで、より一そう完全な、多くの需要に応えられるような乳幼児用マットの提供を主な課題とする。
【０００４】
そのための手段は、乳幼児の頭部に対応するマット面上部位置の外周縁部に、マット面より上方へ立ち上がるヘッドレストを形成した乳幼児用マットであって、前記ヘッドレストを、折り返した外周部位を立てることができるような断面逆Ｕ字状、且つ平面視逆Ｕ字状に形成し、上記外周部位を、上方へ張り出し可能なサンバイザ部に設定した乳幼児用マットであることを特徴とする。
【０００５】
具体的には、例えば、前記ヘッドレストを、弾力性を有するマット状体で構成するとよい。
【０００６】
【作用及び効果】
すなわち上述の構成によれば、通常の使用時には、乳幼児の頭部をヘッドレストで包むように乳幼児を乗せて使用する。そして例えば、チャイルドシートに乗せて車で外出したとき、あるいはまた、キャリーに乗せて屋外へ散歩に出掛けたときなど、乳幼児が太陽の光を眩しそうにする場合には、ヘッドレストからサンバイザ部を張り出す。ヘッドレストはその機能を維持しながらも、上方へ張り出されたサンバイザ部が日除けの作用をして乳幼児にとって快適さを与える。
【０００７】
このように、乳幼児の大事な部位を保護するほか、これまでにない作用をして乳幼児に快適さを与えることができる。このため、これまでのヘッドサポート機能付きの乳幼児用マットよりも利用価値を高めることができる。
【０００８】
しかも、サンバイザ部は乳幼児の頭部の周囲に位置するヘッドレストを利用すべく、それ自体に形成しているので、余分な部材をつけた印象を与えずに有用な付加価値を得ることができ、意匠感を阻害することもない。
【０００９】
また、前記ヘッドレストを、折り返した外周部位を立てることができるような断面逆Ｕ字状、且つ平面視逆Ｕ字状に形成し、上記外周部位を、上方へ張り出し可能なサンバイザ部に設定したことにより、服の襟を折るのと同じ要領となり、折り返した断面逆Ｕ字状態を維持できるとともに、折り返した外周部位を立てることで、特別な保持手段を設けることなく、サンバイザ部を張り出させ、その状態を保持することができる。
【００１０】
【実施例】
この発明の一実施例を以下図面に基づいて詳述する。
図１は乳幼児用マット１（以下、マットという）の斜視図であり、このマット１は、例えば図２に示したようなベヒー載乗用品２に敷設して使用する。
【００１１】
このベビー載乗用品２は、背部３と座部４とで座席部５が形成され、乳幼児をその座席部５に乗せて座らせたり寝かせたりするものである。実線で示したように、背部３を起こすことでベビーカーに搭載して使用でき、仮想線で示したように背部３を倒すとベッドとして、またアーチ形の把手６を起立させるとキャリーとして使用できる。また、このベビー載乗用品２は載乗した乳幼児の安全を確保するための安全ベルト７を装着している。安全ベルト７は、肩部位に対応する位置と、股間部位に対応する位置とにその端部を装着しており、股間部位から延びるベルト７ａにバックル７ｂを取付け、他のベルト７ｃ，７ｃの先端に形成した係止部７ｄを係止できるようにしている。係止の解除はバックル７ｂの押しボタン７ｅで行なう。
【００１２】
ベビー載乗用品２は上述のようなもののほか、例えばベビーカーやいす、チャイルドシート、籠状のキャリー、ブランコ等であるもよい。
【００１３】
マット１は、マット本体８の表の上部位置の外周縁部に、マット面より上方へ立ち上がるヘッドレスト９を一体に形成した構造である。
【００１４】
マット本体８は、乳幼児の全身が乗る大きさで、上述のベビー載乗用品２に対応する略長円形に形成され、内部にはウレタン等を充填して弾力性を有するマット状にしている。またこのマット本体８には、前述の安全ベルト７の端部に対応する３箇所にベルト７ａ，７ｃ，７ｃを挿通する挿通孔１０，１１，１１を形成している。一つは股間部に対応する下部（第１挿通孔１０）で、他の二つは肩部位に対応する上部（第２挿通孔１１，１１）である。これら挿通孔１０，１１，１１は、切り込みや切欠き等で適宜形成すればよい。
【００１５】
図示実施例における下部の第１挿通孔１０は、下端から真っ直ぐ上方に所定長さ切り込むとともに、その上端部において、左右いずれかの方向に大きく湾曲して形成している。このように湾曲させることで、縫成時の作用により、この湾曲部１０ａより下側に偏りが生じ、切り込み（第１挿通孔１０）の口を閉じる方向にマット本体８の下部は付勢される。
【００１６】
上部の第２挿通孔１１，１１は、それぞれ横から所定長さ切り込んで形成しており、図３に示したように、開口端には係合手段を形成して開閉可能に閉塞できるようにしている。すなわち、マット本体８における第２挿通孔１１，１１の下側には係合手段の一例としてのホックの一方１２を装着し、次に説明する前記ヘッドレスト９の端部に、上記ホックの一方１２と係合するホックの他方１３を装着している。係止手段にはこのほか、面ファスナ等を用いるもよい。
【００１７】
前記ヘッドレスト９は、直線の両端を小さく立ちあげるとともに大きな円弧で繋げたような正面視形状のマット状に形成され、内部にはウレタン等を充填して弾力性を持たせている（図４参照）。そして、ヘッドレスト９の直線側をマット本体８の上部外周縁に縫着して一体化している。このときヘッドレスト９の両端部は、上記第２挿通孔１１，１１よりも下に延びるように長く寸法設定して、上述の第２挿通孔１１，１１の閉塞を可能にしている。
【００１８】
このヘッドレスト９は、図４に示した状態から高さ方向の中間部で折曲すると、断面逆Ｕ字状で内外二重になり、円弧状の上端縁がヘッドレスト９とマット本体８との縫着部に近接するようになる。この時の外周部位が、サンバイザ部１４である。上記相対向縁部には、図３、図４に示したように接合手段の一例としてスライドファスナ１５を装着して、サンバイザ部１４を折り返した状態を保持するようにしている。接合手段にはこのほか、例えば面ファスナやホック、可撓性を有するワイヤ等を利用するもよい。また、ヘッドレスト９は平面視逆Ｕ字状であり、服の襟を折るのと同じ要領であるので、折り返した状態が維持できるため、接合手段はなくともよい。サンバイザ部１４をヘッドレスト９を利用して形成したことによる効果の一つである。
【００１９】
このように構成したマット１では、マット１をベビー載乗用品２に敷設してから、乳幼児Ａの頭部を図５に示したようにヘッドレスト９で包むように乳幼児Ａを乗せて使用する。そして屋外へ出たときなど、乳幼児Ａが太陽の光を眩しそうにする場合には、ヘッドレスト９の下側に位置するスライドファスナ１５を外して図６に示したようにサンバイザ部１４の折り返しを解いてマット本体８の表側に張り出させる。この姿勢は、ヘッドレスト９とこれに一体のサンバイザ部１４が平面視逆Ｕ字状であるので特別な保持手段を設ける必要もなく、ウレタン等を内蔵したことによるそれ自体の剛性と相俟って保持される。
【００２０】
上述のようにサンバイザ部１４を張り出させることによりサンバイザ部１４は、乳幼児Ａの頭部の上方を覆うように立った状態になり、ヘッドレスト９は乳幼児Ａの頭部をサポートして安定させる機能を維持しながらも、ヘッドレスト９よりも上方へ張り出されたサンバイザ部１４が日除けの作用をして乳幼児Ａから眩しさを取り除き、快適さを与える。特に、日除けのないベビーカーや、キャリー、チャイルドシート、ブランコ等のベビー載乗用品での使用では有り難い存在となる。
【００２１】
このように、乳幼児Ａの大事な部位を保護するほか、これまでにない作用をして乳幼児Ａに快適さを与えることができる。このため、これまでのヘッドサポート機能付きの乳幼児用マットよりも利用価値を高めることができる。
【００２２】
しかも、サンバイザ部１４は乳幼児の頭部の周囲に位置するヘッドレスト９を利用すべく、それ自体に形成しているので、余分な部材をつけた印象を与えずに簡素な構成で有用な付加価値を得ることができ、意匠感を阻害することもない。  図７は、上述のマット１に取付けて使用可能な補助部材１６の斜視図であり、この補助部材１６は、図示したように逆Ｕ字状に曲がる柔軟な棒状に形成し、両端に、環状をなす止め紐１７，１７を形成している。この止め紐１７は、前記第２挿通孔１１，１１の開口部位に着脱自在に取付けるもので、取付けはまず、ホック１２，１３を外してから、止め紐１７の一方側をホック１２，１３を越えて位置させてホック１２，１３を止め直すことにより行なう。すなわちこの補助部材１６は、乳幼児Ａの大きさの違いに対応し、また著しい成長に追従して使用できるようにするために、ヘッドレスト９の内周側に位置するものである。
【００２３】
図８は、上述と同様の目的のために使用する補助部材１８で、これは、前記マット本体８よりも小さい略長方形状のマット本体１８ａの上部外周縁に、逆Ｕ字状の柔軟な棒状のヘッドレスト１８ｂを一体に形成した構造で、マット１に対して乗せるだけで使用する。この補助部材１８は、マット本体１８ａがあるので乳幼児Ａを乗せることができ、補助部材１８のみでの使用も可能である。
【図面の簡単な説明】
【図１】  乳幼児用マットの斜視図。
【図２】  ベビー載乗用品の一例の斜視図。
【図３】  乳幼児用マットの裏面図。
【図４】  サンバイザ部を張り出させた状態斜視図。
【図５】  使用状態の斜視図。
【図６】  使用状態の斜視図。
【図７】  補助部材の斜視図。
【図８】  補助部材の斜視図。
【符号の説明】
１…乳幼児用マット
８…マット本体
９…ヘッドレスト
１４…サンバイザ部
Ａ…乳幼児
【図１】
0004159164.tif 000002
【図２】
0004159164.tif 000003
【図３】
0004159164.tif 000004
【図４】
0004159164.tif 000005
【図５】
0004159164.tif 000006
【図６】
0004159164.tif 000007
【図７】
0004159164.tif 000008
【図８】
0004159164.tif 000009